(57)【特許請求の範囲】
【請求項１】
伝送に供するデータをブロック単位で区切り、各ブロックに順次先頭ブロックからのアドレスを付加し、所定の伝送路を介して伝送するデータ伝送方法において、
前記先頭ブロック側程、伝送先で誤りの発生確率が低下するように、前記アドレスの論理値を設定した
ことを特徴とするデータ伝送方法。
【請求項２】
先頭ブロック側程、振幅余裕が大きくなるように、前記アドレスの論理値を設定することにより、前記先頭ブロック側程、伝送先で誤りの発生確率が低下するように、前記アドレスの論理値を設定した
ことを特徴とする請求項１に記載のデータ伝送方法。
【請求項３】
伝送に供するデータをブロック単位で区切るブロック化手段と、
各ブロックに順次先頭ブロックからのアドレスを付加して出力するアドレス付加手段と、
前記アドレスを生成するアドレス生成手段と、
前記アドレス付加手段の出力データを所定の伝送路に送出するデータ送出手段とを備え、
前記アドレス生成手段は、
前記先頭ブロック側程、伝送先で誤りの発生確率が低下するように、前記アドレスの論理値を設定した
ことを特徴とするデータ伝送装置。
【請求項４】
前記アドレス生成手段は、
先頭ブロック側程、振幅余裕が大きくなるように、前記アドレスの論理値を設定することにより、前記先頭ブロック側程、伝送先で誤りの発生確率が低下するように、前記アドレスの論理値を設定した
ことを特徴とする請求項３に記載のデータ伝送装置。
【請求項５】
前記伝送路は、
光記録媒体と、
前記光記録媒体に光ビームを照射して前記光記録媒体に入力データに対応したマーク又はピットを形成する記録光学系と、
前記光記録媒体に光ビームを照射して前記光記録媒体に形成されたマーク又はピットに対応した再生信号を出力する再生光学系と、
前記再生信号を処理して再生データを生成する信号処理系とを有し、
前記アドレス生成手段は、
前記先頭ブロック側程、前記伝送路の伝達特性が最も良くなる周波数に近接した周波数により前記アドレスが再生されるように、前記アドレスの論理値を設定することにより、伝送先で誤りの発生確率が低下するように、前記アドレスの論理値を設定した
ことを特徴とする請求項３に記載のデータ伝送装置。
【請求項６】
記録に供するデータをブロック単位で保持するデータ記録媒体において、
各ブロックに順次先頭ブロックからのアドレスが付加され、
前記先頭ブロック側程、保持したデータを読み出す際に、誤りの発生確率が低下するように、前記アドレスの論理値を設定した
ことを特徴とするデータ記録媒体。
【請求項７】
前記先頭ブロック側程、保持したデータを読み出す際に、振幅余裕が大きくなるように、前記アドレスの論理値が設定されることにより、前記先頭ブロック側程、保持したデータを読み出す際に、誤りの発生確率が低下するように、前記アドレスの論理値を設定した
ことを特徴とする請求項６に記載のデータ記録媒体。
【請求項８】
前記データ記録媒体は、
光ディスクでなり、
前記先頭ブロック側程、データを読み出す際に光ビームを照射して再生信号を出力する再生光学系と、前記再生信号を処理して再生データを生成する信号処理系との伝達特性が最も良くなる周波数に近接した周波数により前記アドレスが再生されるように、前記アドレスの論理値が設定されることにより、保持したデータを読み出す際に、誤りの発生確率が低下するように、前記アドレスの論理値を設定した
ことを特徴とする請求項７に記載のデータ記録媒体。
【発明の詳細な説明】
【０００１】
【発明の属する技術分野】
本発明は、データ伝送方法、データ伝送装置及びデータ記録媒体に関し、例えば光ディスク装置及び光ディスクに適用することができる。本発明は、伝送に供するデータをブロック単位で区切り、各ブロックにアドレスを付加して伝送する際に、先頭ブロック側程、伝送先で誤りの発生確率が低下するように、アドレスの論理値を設定することにより、このようなアドレスを伝送先で正しく補間処理できるようにし、これにより伝送されたデータを正しく再生できるようにする。
【０００２】
【従来の技術】
従来、データ伝送装置の１つでなる光ディスク装置においては、記録時に付加した同期信号を基準にして誤り訂正等の処理を実行することにより、所望のデータを確実に記録再生できるようになされている。
【０００３】
すなわち光ディスク装置は、図８に示すように、記録時、記録に供するユーザーデータを所定のブロック単位で区切り（以下、このブロックをセクタブロックと呼ぶ）、これらのユーザーデータに積符号形式の誤り訂正符号Ｃ１及びＣ２を付加する（図８（Ａ））。光ディスク装置は、このように設定したユーザーデータ及び誤り訂正符号Ｃ１及びＣ２を１つのセクタに割り当てて記録する。
【０００４】
すなわち光ディスク装置は、これらユーザーデータ及び誤り訂正符号Ｃ１及びＣ２をさらに細かなブロック（以下、同期ブロックと呼ぶ）に区切り、各同期ブロックの先頭に、順次、同期信号ＳＹＮＣ０、ＳＹＮＣ１、……、ＳＹＮＣ３１を配置する（図８（Ｂ））。このとき光ディスク装置は、ユーザーデータ及び誤り訂正符号Ｃ１及びＣ２をインターリーブ処理して各同期ブロックに振り分ける。
【０００５】
なおこの図８は、１セクタに４０００バイトのユーザーデータ及び誤り訂正符号Ｃ１及びＣ２を割り当て、これらユーザーデータ及び誤り訂正符号Ｃ１及びＣ２を１２５バイト単位で３２個の同期ブロックに区切ると共に、各同期ブロックの先頭にそれぞれ３バイトの同期信号ＳＹＮＣ０、ＳＹＮＣ１、……、ＳＹＮＣ３１を配置した場合である。
【０００６】
光ディスク装置は、同期信号ＳＹＮＣ０、ＳＹＮＣ１、……、ＳＹＮＣ３１と、対応するデータＤＡＴＡ０、ＤＡＴＡ１、……、ＤＡＴＡ３１とが順次連続するように、シリアルデータストリームを形成する（図８（Ｃ））。このとき光ディスク装置は、ＰＬＬ同期用の基準パターン等を付加してシリアルデータストリームを形成する。さらに光ディスク装置は、このシリアルデータストリームを光ディスクの記録に適した例えばＮＲＺＩ変調により変調し、その結果得られる変調信号によりレーザービームを変調する。
【０００７】
このようにして光ディスクにユーザーデータを記録するにつき、各同期信号ＳＹＮＣ０、ＳＹＮＣ１、……、ＳＹＮＣ３１には、同期パターン部とブロックアドレス部とが配置される（図８（Ｄ））。ここで同期パターン部は、各同期信号ＳＹＮＣ０、ＳＹＮＣ１、……、ＳＹＮＣ３１に共通で、かつデータＤＡＴＡ０、ＤＡＴＡ１、……の部分では発生しない同期パターンが割り当てられる。これに対してブロックアドレス部は、先頭同期ブロックより順次変化するブロックアドレスが割り当てられる。
【０００８】
これにより光ディスク装置は、再生時、同期パターンにより各同期ブロックの区切れを検出し、続くブロックアドレス部よりブロックアドレスを再生する。さらにこのブロックアドレスを基準にして、再生したデータをデインターリーブ処理し、また誤り訂正処理するようになされている。なお図８（Ｄ）において、符号Ｆによるビットは、直前データの反転値を意味し、符号Ｄによるビットは、ＤＳＶ（Digital Sum Value ）制御用のビットである。
【０００９】
【発明が解決しようとする課題】
ところで光ディスク装置において、記録密度を向上すると、またデータ転送速度を高速度化すると、符号間干渉、ノイズ等により、同期パターン、ブロックアドレスを正しく再生できない場合が発生する。このように同期パターン、ブロックアドレスを正しく再生できない場合、光ディスク装置においては、再生データを正しくデインターリーブ、誤り訂正することが困難になり、結局、正しくデータ再生することが困難になる。
【００１０】
このような場合に、同期パターンについては、正しく再生された同期パターンのタイミングを基準にして、再生データを順次カウントすることにより、続く同期パターンのタイミングを検出することができると考えられる。またブロックアドレスについては、正しく再生されたブロックアドレスを基準にして、同期パターンをカウントすることにより、補間処理できると考えられる。
【００１１】
ところがこのようにして同期パターン、ブロックアドレスを処理する場合でも、各セクタで、少なくとも１度はブロックアドレスを正しく再生できなければ、結局、ブロックアドレスを正しく補間処理できない問題がある。
【００１２】
本発明は以上の点を考慮してなされたもので、この種のアドレスを正しく補間処理することができるデータ伝送方法、データ伝送装置及びデータ記録媒体を提案しようとするものである。
【００１３】
【課題を解決するための手段】
かかる課題を解決するため本発明においては、データ伝送方法及びデータ伝送装置において、先頭ブロック側程、伝送先で誤りの発生確率が低下するように、各ブロックに付加するアドレスの論理値を設定する。
【００１４】
またデータ記録媒体において、先頭ブロック側程、保持したデータを読み出す際に、誤りの発生確率が低下するように、各ブロックに付加するアドレスの論理値を設定する。
【００１５】
先頭ブロック側程、伝送先で誤りの発生確率が低下するように、各ブロックに付加するアドレスの論理値を設定すれば、先頭ブロック程、アドレスを正しく再生することができ、先頭側ブロック側の正しく再生されたアドレスを用いて、末尾側の、正しく再生することが困難なアドレスを補間処理することができる。
【００１６】
【発明の実施の形態】
以下、適宜図面を参照しながら本発明の実施の形態を詳述する。
【００１７】
図２は、本発明の実施の形態に係る光ディスク装置に適用される各セクタのデータフォーマットを示す図表である。この光ディスク装置に適用される光ディスクは、プリフォーマットにより、所定の角間隔でプリフォーマットデータが記録され、このプリフォーマットデータ間にレコーディングフィールドが形成される。光ディスクは、ユーザーデータがＲＬＬ（１、７）変調された後、ＮＲＺＩ変調され、このＮＲＺＩ変調データがレコーディングフィールドに熱磁気記録されるようになされている。
【００１８】
ここでプリフォーマットデータは、１２８バイトのヘッダーフィールドと、５バイトのミラーマークフィールドとが割り当てられ、光ディスク装置では、これらヘッダーフィールド及びミラーマークフィールドから得られる再生データに基づいて、各セクタのアドレス等を検出できるようになされ、またこのプリフォーマットデータに同期したタイミングにより続くレコーディングフィールドに所望のデータを記録できるようになされている。
【００１９】
これに対してレコーディングフィールドは、先頭に、３０バイト分のバッファ領域が形成され、続く１８バイト分の領域が書き込み光量調整用の領域（ＡＬＰＣ）に割り当てられる。さらに続く領域にＰＬＬ同期用の基準データＶＦＯが５０バイト割り当てられ、続いて３３２８バイトのデータフィールドが形成される。ここでデータフィールドは、同期信号ＳＹＮＣ及びＲＬＬ変調データ（インターリーブされたユーザーデータ及び誤り訂正符号をさらにＲＬＬ（１、７）変調して形成される）が順次割り当てられて、２６個の同期ブロックにより形成される（図２（Ｂ）及び（Ｃ））。
【００２０】
続いてレコーディングフィールドは、１バイトのポストアンブルＰＡが形成され、１２バイト分のデータスペース、３５バイト分のバッファ領域が順次形成される。なお図４（Ｃ）においては、ＮＲＺＩ変調後における最初の同期信号ＳＹＮＣ０の一部と、その変調前の論理レベルを示す。
【００２１】
図１及び図３は、これら各同期ブロックの同期信号を示す図表である。各同期信号ＳＹＮＣは、最初の１ビットが、直前ビットの反転値に設定され、続いて値００の固定パターン、ＤＳＶ制御用の１ビット、値０１の固定パターンが割り当てられる。続いて同期信号ＳＹＮＣを構成する同期パターンが割り当てられる。
【００２２】
ここでこの同期パターンは、光ディスクに記録した際に、他の部分では発生しない１５チャンネルビットのデータが、各同期信号ＳＹＮＣ０、ＳＹＮＣ１、……に共通に割り当てられる。これによりこの光ディスク装置では、この同期パターンを検出して、各同期ブロックのタイミングを検出できるようになされている。
【００２３】
具体的に、この実施の形態に適用されるＲＬＬ（１、７）変調においては、６個及び７個の０ランが連続するような記録パターンが発生しないことにより、同期パターンは、値０００００００１００００００のパターンが割り当てられるようになされている。
【００２４】
続いて同期信号ＳＹＮＣは、値１０の固定パターンが設定された後、ブロックアドレスが割り当てられる。さらに値１０の固定データが続いた後、最後のビットが続くビットの反転値に設定される。
【００２５】
これらブロックアドレスは、ＲＬＬ変調規則に従って再生した際に、各セクタの先頭側の同期ブロック程、誤りが発生し難いパターンが割り当てられるようになされている。
【００２６】
具体的に、ブロックアドレスは、前後の固定パターン１０、１０との関係で、光ディスクに形成されるマーク及びスペースの長さが、先頭側の同期ブロック程、再生時、振幅余裕が大きくなるように設定される。
【００２７】
すなわちブロックアドレスは、光ディスクに形成されるマーク及びスペースが、再生光学系及び再生光学系より出力される再生信号の信号処理系において、伝達特性が最も良くなる周波数（以下最適周波数と呼ぶ）にほぼ対応するように、先頭同期ブロックのブロックアドレスが設定される。さらにブロックアドレスは、光ディスクに形成されるマーク及びスペースの長さに対応する周波数が、先頭側同期ブロックに近接した同期ブロック程、それぞれ最適周波数に近接した周波数になるように、順次ブロックアドレスが設定される。
【００２８】
すなわちＮＲＺＩ変調して同期信号を記録することにより、マーク形成の基本周期をＴとおいて、このブロックアドレスは、例えば先頭同期ブロック（ＳＹＮＣ０）において、固定パターンの値１より、周期４Ｔのマーク又はスペース、周期４Ｔのスペース又はマーク、周期５Ｔのマーク又はスペースが連続するように形成される。これによりこの先頭同期ブロックのブロックアドレスは、それぞれマーク及びスペースの長さに対応する周波数が、ほぼ最適周波数に設定される。
【００２９】
これに対して続く同期ブロック（ＳＹＮＣ１）のブロックアドレスは、周期５Ｔのマーク又はスペース、周期４Ｔのスペース又はマーク、周期４Ｔのマーク又はスペースが連続するように形成され、さらに続く同期ブロック（ＳＹＮＣ２）のブロックアドレスは、周期６Ｔのマーク又はスペース、周期４Ｔのスペース又はマーク、周期３Ｔのマーク又はスペースが連続するように形成される。これによりブロックアドレスは、マーク及びスペースの長さに対応する周波数が、先頭側同期ブロックに近接した同期ブロック程、それぞれ最適周波数に近接した周波数になるように設定される。
【００３０】
すなわち短いマーク又はスペース、長いマーク又はスペースは、対応する周波数が最適周波数より遠ざかった周波数になる。この場合、これら短いマーク又はスペース、長いマーク又はスペースは、再生信号のＳＮ比が劣化する。すなわちこの場合、振幅余裕が小さくなる。これによりこれら対応する周波数が最適周波数より遠ざかった周波数になると、その分ビット誤りの発生確率が増大するようになる。
【００３１】
また長いマークの後に短いパターンが続くような場合にも、これらマーク及びスペースに対応する周波数が最適周波数より遠ざかった周波数になる。このような場合、熱磁気記録においては、情報記録面における熱の蓄積等により、前後の符号間で干渉が生じ、その分振幅余裕が低下し、誤りの発生確率が増大する。
【００３２】
これによりこの実施の形態において、ブロックアドレスは、各セクタの先頭同期側のブロック程、誤りが発生し難いようになされている。
【００３３】
図４は、この光ディスクにユーザーデータを記録する光ディスク装置の記録系を示すブロック図である。この光ディスク装置１は、図示しない再生系により光ディスクにプリフォーマットされたプリフォーマットデータを再生し、このプリフォーマットデータに同期したクロックを生成する。さらにこのプリフォーマットデータの再生結果より、レコーディングフィールド開始のタイミングで信号レベルの立ち上がるデータステータス信号ＳＴを生成する。
【００３４】
ブロックアドレスカウント回路２は、このプリフォーマットデータより生成したクロックを所定分周してカウント用のクロックを形成し、プリフォーマットデータのタイミングを基準にして、このカウント用のクロックを順次カウントする。これによりブロックアドレスカウント回路２は、レコーディーングフィールドに割り当てる各同期ブロックを特定するブロック番号ＢＮＯを出力する。
【００３５】
ブロックアドレスエンコード回路３は、図１及び図３について上述したブロックアドレスＢＡＤを保持するメモリにより構成され、ブロックアドレスカウント回路２より出力されるブロック番号ＢＮＯをアドレスにして、この保持したブロックアドレスＢＡＤを順次出力する。
【００３６】
ＳＹＮＣパターン発生回路４は、ブロックアドレス部以外の、同期信号ＳＹＮＣのデータを保持し、この保持したデータを出力する。なおＳＹＮＣパターン発生回路４は、図１及び図３について上述した先頭及び最後尾のビット、ＤＳＶ制御用のビットについては、固定した論理レベルにより出力する。ＶＦＯパターン発生回路５は、ＰＬＬ同期用の基準データＶＦＯを保持し、この基準データＶＦＯを出力する。
【００３７】
ＲＬＬ（１、７）エンコード回路６は、図示しないＥＣＣ回路より出力されるユーザーデータ及び誤り訂正符号をＲＬＬ変調して出力する。かくするにつき、光ディスク装置１では、必要に応じて所定のスタッフデータを付加した後、ユーザーデータを図８（Ａ）について上述した複数のセクタブロックに分割する。さらにこの各セクタブロックのデータに積符号形式の誤り訂正符号ＣＯ及びＣ２を付加した後、インターリーブ処理してＲＬＬ（１、７）エンコード回路６に入力するようになされている。
【００３８】
バイトカウント回路７は、レコーディングフィールド開始のタイミングで信号レベルの立ち上がるデータステータス信号ＳＴをトリガにして、プリフォーマットデータより生成したクロックをカウントし、カウント値を出力する。これによりバイトカウント回路７は、プリフォーマットデータを基準にしてデータフィールドに記録する各種データのタイミングを設定する。
【００３９】
出力データセレクト回路８は、バイトカウント回路７のカウント値を基準にして、ＶＦＯパターン発生回路５より出力される基準データＶＦＯ、ＳＹＮＣパターン発生回路４より出力される同期信号ＳＹＮＣのデータ、ブロックアドレスエンコード回路３より出力されるブロックアドレスＢＡＤ、ＲＬＬ（１、７）エンコード回路６の出力データを順次切り換えて出力し、これにより図２について上述したデータフォーマットによる記録データを出力する。なおこのようにしてデータを切り換え出力する際に、出力データセレクト回路８は、図１及び図３について上述した同期信号の先頭及び最後尾のビット、ＤＳＶ制御用のビットを設定するようになされている。
【００４０】
パラレルシルアル変換回路９は、出力データセレクト回路８の出力データをパラレルシルアル変換処理して出力する。ＮＲＺＩエンコード回路１０は、このパラレルシルアル変換回路９の出力データをＮＲＺＩ変調して出力する。光ディスク装置１では、このＮＲＺＩエンコード回路１０より出力されるＮＲＺＩ変調データＤＭに応じてレーザービームの光量を間欠的に立ち上げる。これにより光ディスク装置１は、順次入力されるユーザーデータをレコーディングフィールドに熱磁気記録するようになされている。
【００４１】
図５は、この光ディスク装置の再生系を示すブロック図である。光ディスク装置１は、光ピックアップより出力される再生信号より再生クロック（チャンネルクロックでなる）を生成し、この再生クロックを基準にして再生信号を処理することにより、再生データＤ１を生成する。ＮＲＺＩデコード回路２０は、ＮＲＺＩ変調規則に従って、順次入力される再生データＤ１を復号して出力する。
【００４２】
ビットシフトレジスタ２１は、ＮＲＺＩデコード回路２０より出力されるシリアルデータを順次入力してビットシフトすると共に、３６ビットパラレルのデータに変換して出力する。ＳＹＮＣパターン一致検出回路２２は、ビットシフトレジスタ２１で生成したパラレルデータのうち、２９〜１６ビット目のデータ（１４ビット）を入力し、内蔵の同期パターンのデータと比較する。これによりＳＹＮＣパターン一致検出回路２２は、この入力したパラレルデータに同期パターンが表れると、同期パターン検出信号ＤＰの論理レベルを立ち上げる。
【００４３】
１ブロック長カウント回路２３は、同期パターン検出信号ＤＰを基準にして再生クロックを１２分周することにより、再生データＤ１のバイト周期で信号レベルが変化するバイトクロックを生成する。１ブロック長カウント回路２３は、このバイトクロックをカウントするリングカウンタを有し、このリングカウンタのカウント値を同期パターン検出信号ＤＰによりリセットする。これにより１ブロック長カウント回路２３は、図６に示すように、ビットシフトレジスタ２１より出力される所定ビットのパラレルデータについて、各同期ブロックの先頭からのバイト数を示すバイトカウント値ＢＴを出力する（図６（Ａ））。
【００４４】
ＳＹＮＣセレクト回路２４は、同期パターン検出信号ＤＰに追従して論理レベルが変化する同期パターン検出信号ＤＰＳを出力する。このときＳＹＮＣセレクト回路２４は、同期パターン検出信号ＤＰの論理レベルが立ち下がっている場合でも、１ブロック長カウント回路２３より出力されるバイトカウント値ＢＴが値１２７に立ち上がると、同期パターン検出信号ＤＰＳの論理レベルを立ち上げる。
【００４５】
すなわち図６において時点ｔ１により示すように、バイトカウント値ＢＴが値１２７に立ち上がっているにも係わらず、同期パターン検出信号ＤＰの論理レベルが立ち下がっている場合（図６（Ｂ））、ＳＹＮＣパターン一致検出回路２２において、ノイズ等の影響で、同期パターンを正しく検出できなかった場合と考えられる。これによりＳＹＮＣセレクト回路２４は、同期パターンを検出困難な場合、同期パターン検出のタイミングを補間して同期パターン検出信号ＤＰＳを出力する（図６（Ｃ）及び（Ｄ））。
【００４６】
ブロックアドレスデコード回路２６は、ビットシフトレジスタ２１で生成したパラレルデータのうち、１５〜３ビット目のデータ（１２ビット）を受け、これにより同期パターン検出信号ＤＰＳの論理レベルが立ち上がるタイミングで、再生データＤ１よりブロックアドレスのデータが入力されるようになされている。さらにブロックアドレスデコード回路２６は、所定のメモリを保持し、同期パターン検出信号ＤＰＳの論理レベルが立ち上がるタイミングをトリガにしてこのメモリをアクセスする。ここでこのメモリは、記録系のブロックアドレスエンコード回路３とは逆に、図１及び図３について上述したブロックアドレスのデータがアドレスに設定され、各アドレスに対応してブロック番号ＢＮＯが記録されるようになされている。これによりブロックアドレスデコード回路２６は、各セクタの先頭ブロックより順次値の変化するブロック番号ＢＮＯのデータを出力する（図６（Ｅ））。
【００４７】
このときブロックアドレスデコード回路２６は、ノイズ等により対応するブロック番号ＢＮＯを出力することが困難な場合（（図６（Ｅ））において符号×により示す）、エラー信号ＥＲの論理レベルを立ち上げる。
【００４８】
ブロックアドレスカウント回路２７は、エラー信号ＥＲの論理レベルが立ち下がっている場合、同期パターン検出信号ＤＰＳのタイミングでブロック番号ＢＮＯのデータをロードする（図６（Ｆ））。これとは逆にエラー信号ＥＲの論理レベルが立ち上がった場合、ブロックアドレスカウント回路２７は、ロードしたブロック番号ＢＮＯをアップカウントする。これによりブロックアドレスカウント回路２７は、正しくブロックアドレスをデコードできない場合、同期パターンのタイミングを基準にしてブロックアドレスを補間することになる。
【００４９】
かくするにつき、この光ディスク装置１においては、先頭側の同期ブロック程、誤りが発生し難いパターンが割り当てられることにより、ブロックアドレスを正しくデコードできない同期ブロックは、各セクタブロックの後半側に集中するようになる。従ってこれらのブロックアドレスを正しくデコードできない同期ブロックにおいては、必ずその先頭側に、ブロックアドレスを正しくデコードできた同期ブロックが存在することになり、この正しくデコードできた先頭側のブロックアドレスよりブロックアドレスを補間することができる。
【００５０】
ブロックアドレスセレクト回路２８は、エラー信号ＥＲにより動作する選択回路により構成され、エラー信号ＥＲの論理レベルが立ち下がっている場合、ブロックアドレスデコード回路２６より出力されるブロック番号のデータＢＮＯを選択出力するのに対し、エラー信号ＥＲの論理レベルが立ち上がると、ブロックアドレスカウント回路２７で補間したブロック番号ＢＮＯＳを選択出力する（図６（Ｇ））。
【００５１】
ＲＬＬ（１、７）デコード回路２９は、ビットシフトレジスタ２１で生成したパラレルデータのうち、３５〜２４ビット目のデータ（１２ビット）を受け、同期パターン検出信号ＤＰＳの論理レベルが立ち上がった後、所定期間経過すると、バイトクロックを基準にしたタイミングにより入力データを順次取り込んで復号する。これによりＲＬＬ（１、７）デコード回路２９は、各同期ブロックに割り当てられたデータを復号して出力する。
【００５２】
ＥＣＣデコード回路３０は、同期パターン検出信号ＤＰＳ及びブロックアドレスセレクト回路２８より出力されるブロック番号ＢＮＯＭのデータを基準にして、ＲＬＬ（１、７）デコード回路２９より入力される復号データを、内蔵のメモリに格納することにより、この復号データをデインターリーブ処理する。さらにＥＣＣデコード回路３０は、このデインターリーブ処理した復号データを、この復号データに付加された誤り訂正符号により誤り訂正処理し、この結果得られるユーザーデータＤＵを出力する。
【００５３】
以上の構成において、光ディスク装置１（図４）において、記録に供するユーザーデータは、セクタブロック単位で分割され、積符号形式の誤り訂正符号と共に、インターリーブ処理されて、順次ＲＬＬ（１、７）エンコード回路６に入力される。ここでユーザーデータは、ＲＬＬ変調され、続く出力データセレクト回路８において、同期ブロック単位で、同期データ、ブロックアドレスＢＡＤ等が付加され、さらにセクタブロック単位でＰＬＬ用の基準データＶＦＯ等が付加される。
【００５４】
このときユーザーデータは、ブロックアドレスＢＡＤにおいて、前後の固定パターン１０、１０を含めて、光ディスクに形成されるマーク及びスペースの長さが、先頭側の同期ブロック程、再生時、振幅余裕が大きくなるように設定され、これにより再生した際に、各セクタの先頭側の同期ブロック程、誤りが発生し難いパターンがブロックアドレスＢＡＤに設定される（図１及び図３）。
【００５５】
続いてユーザーデータは、光ディスクに記録するデータフォーマットに加工された後、続くパラレルシルアル変換回路９において、シリアルデータに変換される。さらにこのシリアルデータがＮＲＺＩエンコード回路１０において、ＮＲＺＩ変調され、その結果得られる変調データによりレーザーダイーオードが駆動されて、光ディスクの対応するレコーディングフィールドに熱磁気記録される。
【００５６】
これに対して再生時、光ディスク装置１は（図５）、光ピックアップより得られる再生信号より再生クロックが生成され、この再生クロックを基準にして再生信号が処理され、再生データＤ１が生成される。さらに同期パターン検出のタイミングを基準にして再生クロックが分周され、再生データのバイトに同期したバイトクロックが生成される。
【００５７】
再生データＤ１は、ＮＲＺＩデコード回路２０により復号された後、ビットシフトレジスタ２１により３６ビットパラレルのデータに変換される。この３６ビットパラレルのデータのうちの、１６〜２９ビット目のデータが、ＳＹＮＣパターン一致検出回路２２において、同期パターンのデータと比較され、これにより同期パターンのタイミングが検出され、この検出結果でなる同期パターン検出信号ＤＰが生成される。
【００５８】
再生データＤ１は、１ブロック長カウント回路２３において、この同期パターン検出信号ＤＰをトリガにしてバイトクロックがカウントされ、同期ブロックの長さが検出される。これにより再生データＤ１は、図６において時点ｔ１により示すように、ＳＹＮＣパターン一致検出回路２２で同期パターンを検出できない場合でも、１ブロック長カウント回路２３におけるカウント結果により同期パターン検出信号ＤＰＳが補間生成される。
【００５９】
さらに再生データＤ１は、ビットシフトレジスタ２１の３６ビットパラレルのデータのうちの、１５〜３ビット目のデータがブロックアドレスデコード回路２６に入力され、ここでブロックアドレスがデコードされてブロック番号のデータＢＮＯが生成される。
【００６０】
このとき再生データＤ１は、先頭側の同期ブロック程、誤りが発生し難いパターンが割り当てられてブロックアドレスＢＡＤが生成されていることにより、先頭同期ブロック側においては、殆どの場合、正しくブロックアドレスをデコードすることができ、正しくデコードできない同期ブロックは、各セクタブロックの後半側に集中することになる。このようにブロックアドレスを正しくデコードできない場合、再生データＤ１は、ブロックアドレスデコード回路２６において、エラー信号ＥＲが立ち上げられる。
【００６１】
これにより再生データＤ１は、正しくデコードされたブロック番号のデータＢＮＯがブロックアドレスカウント回路２７にロードされ、正しくデコードされなかった場合、このロードしたブロック番号のデータＢＮＯが同期パターン検出信号ＤＰＳを基準にしてアップカウントされる。これにより再生データＤ１は、補間によるブロック番号のデータＢＮＯＳが生成され、これら補間によるブロック番号のデータＢＮＯＳとデコードされたブロック番号のデータＢＮＯとがブロックアドレスセレクト回路２８より選択出力される。
【００６２】
すなわち図６（Ｅ）〜（Ｇ）においては、ブロック番号３及び４の同期ブロックにおいて、正しくブロックアドレスをデコードすることが困難で、この場合ブロックアドレスカント回路２７によりブロック番号のデータＢＮＯＳが補間生成されることになる。
【００６３】
このとき再生データＤ１は、先頭同期ブロック側において、殆どの場合、正しくブロックアドレスをデコードすることができることにより、ブロックアドレスを正しくデコードできない同期ブロックについては、先頭側で正しくデコードできたブロックアドレスを基準にしてブロックアドレスを補間生成することができる。これにより再生データＤ１は、確実にブロック番号を検出することができる。
【００６４】
これらのことから再生データＤ１は、光ディスク装置１の再生系において、バイトクロックに同期した周期で図７に示す処理手順が繰り返されて、ブロックアドレスがデコードされることになる。すなわち光ディスク装置１は、ステップＳＰ１からステップＳＰ２に移り、ここで同期パターンが検出されたか否か判断する。ここで否定結果が得られると、光ディスク装置１は、ステップＳＰ３に移り、１ブロック長カウント回路２３のカウント値が値１２７か否か判定する。ここで否定結果が得られると、光ディスク装置１は、ステップＳＰ２に戻る。
【００６５】
これに対して同期パターンのタイミングで同期パターンが検出されると、光ディスク装置１は、ステップＳＰ２からステップＳＰ４に移り、検出した同期パターンのタイミングを最終的な同期パターンのタイミングに設定して、同期パターン検出信号ＤＰＳを生成する。これに対して同期パターンのタイミングで同期パターンが検出されないと、ステップＳＰ３において肯定結果が得られることにより、光ディスク装置１は、ステップＳＰ６に移る。
【００６６】
ここで光ディスク装置１は、１ブロック長カウント回路２３において、カウント結果に戻づいて同期パターンのタイミングを検出することにより、同期パターンを補間生成し、続くステップＳＰ６において、この補間によるタイミングにより同期パターン検出信号ＤＰＳを生成する。
【００６７】
このようにして同期パターン検出信号ＤＰＳを生成すると、光ディスク装置１は、ステップＳＰ７に移り、１ブロック長カウント回路２３をリセットする。さらに続くステップＳＰ８においてブロックアドレスが正しく検出できたか否か判断する。
【００６８】
ここでブロックアドレスが正しく検出できた場合、光ディスク装置１は、ステップＳＰ９に移り、読み取ったブロックアドレスによるブロック番号をブロックアドレスカウント回路２７にセットする。続いて光ディスク装置１は、ステップＳＰ１０に移り、この読み取ったブロックアドレスによるブロック番号を最終的なブロック番号のデータとしてＥＣＣデコード回路３０に出力した後、ステップＳＰ２に戻る。
【００６９】
これに対してブロックアドレスが正しく検出できない場合、光ディスク装置１は、ステップＳＰ８からステップＳＰ１１に移り、ここでブロックアドレスカウント回路２７のカウント値をアップカウントする。さらに続くステップＳＰ１２において、このブロックアドレスカウント回路２７のカウント値によるブロック番号を最終的なブロック番号のデータとしてＥＣＣデコード回路３０に出力した後、ステップＳＰ２に戻る。
【００７０】
これらの処理によって、正しく同期パターンのタイミングが検出され、さらにブロックアドレスが補間生成され、再生データＤ１は、正しくデインターリーブ処理、誤り訂正処理されて出力され、これにより光ディスクに記録されたユーザーデータが正しく再生されて出力される。
【００７１】
すなわち再生データＤ１は、このような同期パターン、ブロックアドレスの処理と平行して、ビットシフトレジスタ２１の３６ビットパラレルのデータのうちの、３５〜２４ビット目のデータがバイトクロックのタイミングで順次ＲＬＬ（１、７）デコード回路２９より復号され、その後ＥＣＣデコード回路３０においてデインターリーブ、誤り訂正処理される。
【００７２】
このときこの再生データに含まれるユーザーデータにおいては、正しく同期パターンのタイミングが検出され、さらにブロックアドレスが補間生成されていることにより、正しくこれらの処理が実行されて光ディスクより再生される。
【００７３】
以上の構成によれば、光ディスクに形成されるマーク及びスペースの長さが、先頭側の同期ブロック程、再生時、振幅余裕が大きくなるように、ブロックアドレスＢＡＤを設定し、これにより先頭側の同期ブロック程、誤り難くしたことにより、先頭側の同期ブロックにおいては、殆どの場合、正しくブロックアドレスをデコードすることができ、正しくデコードできない同期ブロックを各セクタブロックの後半側に集中させることができる。これによりブロックアドレスを正しくデコードできない同期ブロックについては、先頭側で正しくデコードできたブロックアドレスを基準にしてブロックアドレスを補間生成することができ、確実にブロック番号を検出することができる。
【００７４】
これによりブロックアドレスの検出精度を向上することができ、その分エラーレートを低減することができ、さらにはデータ転送速度を高速化し、また光ディスクの記録密度を向上することができる。
【００７５】
なお上述の実施の形態においては、ＲＬＬ（１、７）変調及びＮＲＺＩ変調によりユーザーデータを記録する場合について述べたが、本発明はこれに限らず、種々の変調方式により各種データを記録する場合に広く適用することができる。
【００７６】
また上述の実施の形態においては、熱磁気記録の手法を適用して光ディスクに所望のデータを記録する場合について述べたが、本発明はこれに限らず、相変化型の光ディスクに記録する場合等にも広く適用することができる。
【００７７】
さらに上述の実施の形態においては、本発明を光ディスク装置及び光ディスクに適用する場合について述べたが、本発明はこれに限らず、磁気記録再生系、無線通信系、有線通信系等、各種伝送路を介して種々のデータを伝送する場合に広く適用することができる。またコンパクトディスク等の種々のデータ記録媒体にも広く適用することができる。なおこれらの場合に、各ブロックに付加するアドレスは、先頭側のブロック程、伝送先で振幅余裕が大きくなるように論理値を設定すれば良い。
【００７８】
さらに上述の実施の形態においては、シリアルデータストリームにより所望のデータを伝送する場合について述べたが、本発明はこれに限らず、パラレルデータにより伝送する場合等にも広く適用することができる。
【００７９】
【発明の効果】
上述のように本発明によれば、伝送に供するデータをブロック単位で区切り、各ブロックにアドレスを付加して伝送する際に、先頭ブロック側程、伝送先で誤りの発生確率が低下するように、アドレスの論理値を設定することにより、正しくアドレスを検出することが困難なブロックについては、伝送先で正しく補間処理することができ、これにより伝送されたデータを正しく再生することができる。
【図面の簡単な説明】
【図１】本発明の実施の形態に係る光ディスク装置に適用される同期信号を示す図表である。
【図２】図１の同期信号を適用したデータフォーマットを示す略線図である。
【図３】図１に続いて、同期信号を示す図表である。
【図４】本発明の実施の形態に係る光ディスク装置の記録系を示すブロック図である。
【図５】図４の光ディスク装置の再生系を示すブロック図である。
【図６】図５の再生系の動作の説明に供するタイムチャートである。
【図７】図５の再生系の動作の説明に供するフローチャートである。
【図８】光ディスクに記録するデータ構造の説明に供する略線図である。
【符号の説明】
１……光ディスク装置、２……ブロックアドレスカウント回路、３……ブロックアドレスエンコード回路、６……ＲＬＬ（１、７）エンコード回路、１０……ＮＲＺＩエンコード回路、２０……ＮＲＺＩデコード回路、２１……シフトレジスタ、２２……ＳＹＮＣパターン一致検出回路、２３……１ブロック長カウント回路、２４……ＳＹＮＣセレクト回路、２６……ブロックアドレスデコード回路、２７……ブロックアドレスカウント回路、２８……ブロックアドレスセレクト回路、３０……ＥＣＣデコード回路
【図１】
0003770426.tif 000002
【図２】
0003770426.tif 000003
【図３】
0003770426.tif 000004
【図４】
0003770426.tif 000005
【図５】
0003770426.tif 000006
【図６】
0003770426.tif 000007
【図７】
0003770426.tif 000008
【図８】
0003770426.tif 000009